(57)【要約】      （修正有）【課題】転がり軸受の密封装置において、シール体のシールホルダへの嵌め合い部と、シールホルダ内径となるシール保護部が別の箇所となる為、シールホルダの内径を十分に小さくすることができ、軸受吊上げ時にシールに吊上げ治具の干渉を抑制し、シール体を破損させることを防止できる転がり軸受の密封装置を提供する。【解決手段】密封装置８は、転がり軸受１の外輪２に密接されるシールホルダ９と、シールホルダ９に嵌めるシール体１７とからなり、シール体１７を嵌めるシールホルダ９の嵌め合い部は円筒状の穴９ｂであり、シールホルダ９のシール体１７を保護する為のシール保護部９ａの内径寸法ｄは、円筒状の穴９ｂの内径寸法ｄｈより小さい。【選択図】図１
2015055286.tif 000002
【特許請求の範囲】
【請求項１】
転がり軸受の密封装置において、転がり軸受の外輪に密接されるシールホルダと、前記シールホルダに嵌めるシール体とからなり、前記シール体を嵌めるシールホルダの嵌め合い部は円筒状の穴であり、前記シールホルダの前記シール体を保護する為のシール保護部の内径寸法ｄは、前記円筒状の穴の内径寸法ｄｈより小さいことを特徴とする転がり軸受の密封装置。
【請求項２】
転がり軸受の密封装置において、前記シール保護部の転がり軸受の外輪側に円錐面を形成したことを特徴とする請求項１の転がり軸受の密封装置。
【発明の詳細な説明】
【技術分野】
【０００１】
この発明は、軸受と外部を遮断し、軸受内部への水・スケールの侵入防止および内部に充填した転動体潤滑用のグリース、オイルエア潤滑等を密封する転がり軸受の密封装置に関する。尚、本明細書において、シール保護部とは、転がり軸受の外輪端面に密接されるシールホルダ内に形成されるシール体を取付ける部位である。
【背景技術】
【０００２】
図３は、鉄鋼用圧延機に主に用いられる四列円錐ころ軸受の密封装置１００を示し、環状のシールホルダ６００のシール保護部６０２の内周にシール体７００を嵌入したものが知られている。尚、図中４００はころを示す。図３の密封装置１００は、上記シールホルダ６００の側面を軸受外輪２００に密接させるとともに、シール体７００のリップ部７０１を軸受内輪３００の外周面３０１に摺接させることにより、軸受の外部と遮断するものである。
【０００３】
ところで、図３の例をもって説明すると、上記軸受は、かご形保持器５００を有しており、前記保持器５００の底部５０１が軸受部幅Ｃから、はみでるような構造になっている。従って、保持器５００とシール体７００およびシールホルダ６００とが干渉しないように、シールホルダ６００の幅を大きくし、シール体７００を外側に寄せる必要がある。このため、軸受部のスペースが制約され、負荷容量の低下を余儀なくされている。
【０００４】
ところで、密封四列円錐ころ軸受は、組付け、取り外しをグリース等が封入されたまま軸受を組み立てた状態で行う必要があるため、図４に示す様な専用の軸受吊り治具８００が必要である。
【０００５】
それに対して、先行技術の転がり軸受の密封装置としては、特許文献１と図２に示されているものがある。図中１は転がり軸受、２は外輪、４は内輪、６は転動体（円錐ころ）、７は保持器、８は密封装置を示し、前記密封装置８は、保持器７との干渉を避けるようにシール保護部９ａのシール空間に保持器７の一端７ａを潜り込ませた形状を有し、シール保護部９ａの内径寸法ｄ（図２参照）を小さくし、吊り治具８００のセットスペース確保を可能としている。
【先行技術文献】
【特許文献】
【０００６】
【特許文献１】特開平１１−２５７３６１号公報
【発明の概要】
【発明が解決しようとする課題】
【０００７】
しかしながら、特許文献１の構成では、シール体のシールホルダへの嵌め合い部が、シールホルダ内径となっている為、シール体と保持器との干渉の懸念から、シールホルダ内径を十分に小さく出来ず、軸受吊上げ時に吊上げ治具をシール体に干渉させてしまう可能性がある。
本発明は上記事情に鑑みてなされたものであり、転がり軸受の密封装置において、シール体のシールホルダへの嵌め合い部と、シールホルダ内径となるシール保護部が別の箇所となる為、シールホルダの内径を十分に小さくすることができ、軸受吊上げ時にシールに吊上げ治具の干渉を抑制し、シール体を破損させることを防止できる転がり軸受の密封装置を提供することを目的とする。
【課題を解決するための手段】
【０００８】
上記課題を解決するために本発明の転がり軸受の密封装置は、転がり軸受の外輪に密接されるシールホルダと、前記シールホルダに嵌めるシール体とからなり、前記シール体を嵌めるシールホルダの嵌め合い部は円筒状の穴であり、前記シールホルダの前記シール体を保護する為のシール保護部の内径寸法ｄは、前記円筒状の穴の内径寸法ｄｈより小さいことを特徴とする。
また、前記転がり軸受の密封装置において、前記シール保護部の転がり軸受の外輪側に円錐面を形成したことを特徴とする。
また、前記シール保護部の内径寸法ｄは、前記転がり軸受の内輪の内径寸法Ｄの１．２倍以下が好ましい。
【発明の効果】
【０００９】
本発明の転がり軸受の密封装置において、シール体のシールホルダへの嵌め合い部と、シールホルダ内径となるシール保護部が別の箇所となる為、シールホルダの内径を十分に小さくすることができ、軸受吊上げ時にシールに吊上げ治具の干渉を抑制し、シール体を破損させることを防止できる。
【図面の簡単な説明】
【００１０】
【図１】本発明に係る転がり軸受の密封装置の断面図である。
【図２】従来の転がり軸受の密封装置の断面図である。
【図３】従来の転がり軸受の密封装置の断面図である。
【図４】四列円錐ころ軸受用吊り治具を使用した状態の縦断面図である。
【発明を実施するための形態】
【００１１】
以下、本発明に係る転がり軸受の密封軸受装置について、図１により説明する。
図１は本発明転がり軸受の密封装置を、円錐ころ軸受に装着した状態の一実施形態を示す縦断面図である。図中１は転がり軸受、２は軸受外輪、４は軸受内輪、６は転動体（円錐ころ）、７は保持器、８は密封装置を示す。前記密封装置８は、転がり軸受の外輪に密接されるシールホルダ９と、前記シールホルダ９に嵌めるシール体１７とからなる。前記シール体１７を嵌めるシールホルダ９の嵌め合い部は円筒状の穴９ｂである。前記シールホルダの前記シール体を保護する為のシール保護部９ａの内径寸法ｄは、前記円筒状の穴９ｂの内径寸法ｄｈより小さい。このような構造にすることにより、シール体１７のシールホルダ９への嵌め合い部と、シールホルダ内径となるシール保護部９ａが別の箇所となる為、シールホルダ９の内径を十分に小さくすることができ、軸受吊上げ時にシール体１７に吊上げ治具が干渉することを抑制し、シール体１７を破損させることを防止できる。また、前記円筒状の穴９ｂは、円筒状なので、シール体１７と保持器７の距離を長くする事ができ、シール体１７と保持器７を接触し難くできる。また、前記円筒状の穴９ｂは、円筒状なので、シール体１７をシールホルダ９へ固定しやすい。また、前記シール保護部９ａの内径寸法ｄは、前記転がり軸受の内輪の内径寸法Ｄの１．２倍以下であることにより、軸受吊上げ時にシール体１７に吊上げ治具が干渉することを抑制し、シール体１７を破損させることを防止できる。
【００１２】
尚、軸受外輪２、軸受内輪４、転動体６、保持器７からなる転がり軸受１は一般的構造を適用可能で、本明細書においての具体的な説明は省略し、また図示例に何等限定されるものではない。
密封装置８は、転がり軸受とは別体にて形成されると共に、軸受外輪２に密接させる環状のシールホルダ９と、前記シールホルダ９の円筒状の穴９ｂに取付けられ、かつ軸受内輪４の外周面５に摺接するシール体１７とによって構成され、軸受と外部を遮断する。
【００１３】
シールホルダ９は、軸受外輪２との接触面１５から離れる方向に向けて円筒状の穴９ｂを形成し、前記円筒状の穴９ｂの端部から内周面方向に向けて、前記シール保護部９ａの転がり軸受の外輪側に円錐面１０を形成し、前記円錐面１０の端部から水平方向に延設してシール保護部の内周面９ａ１を形成している。前記円錐面１０は、円錐状であることによって、シール体１７と保持器７の距離を長くする事ができ、シール体１７と保持器７を接触し難くできる。
【００１４】
シールホルダ９の外周面１３には、軸受ハウジング（図示省略）に対する密閉性を確保するためＯリング１４が取り付けられている。また、シールホルダ９の側面（接触面１５側）には環状の凸部１５ａが設けられていて、軸受外輪２の外周面３に嵌入される。
【００１５】
シール体１７は、芯金１７ａにゴム１７ｂを加硫成形して一体的に構成され、大きく分けて、円筒部１７ｃ、円筒部側の円錐部１７ｄ、リップ部側の円錐部１７ｅ、リップ支持部１７ｆ、リップ部１７ｇにより構成されている。尚、シール体１７は、金属以外の強度部材（例えば、プラスチック等）
と、ゴムと同様の弾性を有する高分子材料（例えば、ポリテトラフロロエチレン（ＰＴＦＥ）等）も利用可能であり、何等上記実施形態に限定されず、本発明の範囲内において他の材料も利用可能である。
【００１６】
円筒部１７ｃは、シールホルダ９に設けた円筒面９ｂに嵌め込まれることでシール体１７を係止する。円筒部側の円錐部１７ｄは、上記円筒部１７ｃの端部から上記シールホルダ９の円錐面１０に合致する傾斜状態をもって形成されている。円筒部１７ｃと円筒部側の円錐部１７ｄの外周面とリップ部１７ｇは、上述したゴム１７ｂにより形成されている。そしてリップ部１７ｇを軸受内輪４の外周面に摺接させることで軸受を密封することができる。尚、リップ部１７ｇの構造は図示例に限定されるものではなく本発明の範囲内において周知の構造が適宜選択される。また、前記、円筒部側の円錐部１７ｄの傾斜を、リップ部側の円錐部１７ｅの傾斜より小さくすることにより、シールホルダの内径ｄを小さくすることができる。
【００１７】
また、シール体の円筒部１７ｃの内径寸法ｄ１７ｃは、外輪の内径寸法ｄｏ以上とすることにより、シール体１７が保持器７に接触し難く出来る。また、シール体１７の円筒部側の円錐部１７ｄとリップ部側の円錐部１７ｅの保持器側の境界１７ｈの径寸法ｄｓは、保持器の内径寸法ｄｃより小さくすることにより、シール体１７が保持器７に接触し難く出来る。
尚、本実施形態は本発明の一例を示したものであって、本発明は本実施形態に限定されるものではない。
【符号の説明】
【００１８】
１              転がり軸受
２、２００      外輪
３              外輪の外周面
４、３００      内輪
５、３０１      内輪の外周面
６、４００      円錐ころ
７              保持器
７ａ            保持器の一端
８、１００      密封装置
９、６００      シールホルダ
９ａ、６０２    シール保護部
９ａ１          シール保護部の内周面
９ｂ            円筒状の穴
１０            円錐面
１３            シールホルダの外周面
１４            Ｏリング
１５            軸受外輪との接触面
１５ａ          環状の凸部
１７、７００    シール体
１７ａ          芯金
１７ｂ          ゴム
１７ｃ          円筒部
１７ｄ          円筒部側の円錐部
１７ｅ          リップ部側の円錐部
１７ｆ          リップ支持部
１７ｇ、７０１  リップ部
１７ｈ          保持器側の境界
３０１          内輪の外周面
５００          かご型保持器
５０１          保持器の底部
８００          吊り治具
Ｃ              軸受部幅        
Ｄ              内輪の内径寸法
ｄ              シール保護部の内径寸法
ｄ１７ｃ        シール体円筒部の内径寸法
ｄｃ            保持器の内径寸法
ｄｈ            円筒状の穴の内径寸法
ｄｏ            外輪の内径寸法
ｄｓ            境界の径寸法
【図１】
2015055286.tif 000003
【図２】
2015055286.tif 000004
【図３】
2015055286.tif 000005
【図４】
2015055286.tif 000006